【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
コンピュータ支援設計（ＣＡＤ）オブジェクトまたはモデルの同時設計を管理する方法であって、前記方法は、
複数の異なるＣＡＤアプリケーションをコンピュータデバイスのプロセッサに提供することであって、前記複数の異なるＣＡＤアプリケーションは、（ａ）前記ＣＡＤモデルの幾何学的特徴を編集するように構成されたモデリングアプリケーションと、（ｂ）前記ＣＡＤモデルに工学的分析を行うように構成された工学的分析アプリケーションと、（ｃ）別個の明確に異なる物理オブジェクトにそれぞれが対応している異なるＣＡＤモデルをどのように一緒にアセンブリするかを修正するように構成されたアセンブリアプリケーションとを含み、前記複数の異なるＣＡＤアプリケーションの各々は、アクティブ状態と非アクティブ状態とを有する、ことと、
前記複数の異なるＣＡＤアプリケーションから選択される第１のＣＡＤアプリケーションがアクティブ状態にあると同時に、前記複数のＣＡＤアプリケーションの第２のＣＡＤアプリケーションが非アクティブ状態にあるように、前記プロセッサを使用して前記第１のＣＡＤアプリケーションを実行することと、
コンピュータデバイスのプロセッサによって実行される第１のＣＡＤアプリケーションによって、ＣＡＤモデルの開始状態を記憶することと、
ユーザからのコマンドに応答して前記プロセッサによって実行される前記第１のＣＡＤアプリケーションを介して、前記ＣＡＤモデルを修正することと、
前記第２のＣＡＤアプリケーションに対する前記修正を表す第１の１つ以上の変更命令を送信することであって、前記第２のＣＡＤアプリケーションは、前記非アクティブ状態にある、ことと、
前記ユーザによる前記第２のＣＡＤアプリケーションの選択に応答して、前記プロセッサによって、自動的に、（ａ）前記第１のＣＡＤアプリケーションを前記アクティブ状態から前記非アクティブ状態に変更し、（ｂ）前記第２のＣＡＤアプリケーションを前記非アクティブ状態から前記アクティブ状態に変更することと、
前記非アクティブ状態から前記アクティブ状態への前記第２のＣＡＤアプリケーションの変更に応答して、前記第２のＣＡＤアプリケーションの前記プロセッサによって、前記ＣＡＤモデルの前記記憶された開始状態を自動的にロードし、前記第２のＣＡＤアプリケーションの前記ＣＡＤモデルに対する前記修正を再現するために、１つ以上の変更命令を自動的に実行することと
を含む、方法。
【請求項２】
前記ＣＡＤモデルの前記開始状態を記憶することは、前記第１のＣＡＤアプリケーションによって前記ＣＡＤモデルをロードすることに応答して、前記ＣＡＤモデルの前記開始状態を記憶することを含む、請求項１に記載の方法。
【請求項３】
前記ＣＡＤモデルを修正することは、前記ＣＡＤモデルの第１の１つ以上のオブジェクトを修正することと、前記第１のＣＡＤアプリケーションによって、前記第１の１つ以上のオブジェクトに従属している、前記ＣＡＤモデルの第２の１つ以上のオブジェクトを再生することとを含む、請求項１に記載の方法。
【請求項４】
前記第１の１つ以上の変更命令を作成することは、前記１つ以上の変更命令の実行が、ＣＡＤアプリケーションに、前記第１の１つ以上のオブジェクトに従属している前記第２の１つ以上のオブジェクトを再生させるように、前記第１の１つ以上のオブジェクトに対する前記修正を表す第１の１つ以上の変更命令を作成することを含む、請求項３に記載の方法。
【請求項５】
前記第２のＣＡＤアプリケーションを介して、前記ＣＡＤモデルを修正することと、
前記第２のＣＡＤアプリケーションによって、前記修正に応答して、前記ＣＡＤモデルに対する前記修正を表す第２の１つ以上の変更命令を作成することと、
前記第１のＣＡＤアプリケーションによって、前記第２の１つ以上の変更命令をロードすることと、
前記第１のＣＡＤアプリケーションによって、前記ＣＡＤモデルに対する前記修正を再現するために、前記第２の１つ以上の変更命令を実行することと
をさらに含む、請求項１に記載の方法。
【請求項６】
前記第２の１つ以上の変更命令は、前記第１の１つ以上の変更命令の実行後の前記第２のＣＡＤアプリケーションにおける前記ＣＡＤモデルに対する前記修正を表す、請求項５に記載の方法。
【請求項７】
前記第１のＣＡＤアプリケーションを介して、前記第１の１つ以上の変更命令を取り消すように要求することと、
前記第１のＣＡＤアプリケーションによって、前記ＣＡＤモデルの前記開始状態をロードすることと
をさらに含む、請求項５に記載の方法。
【請求項８】
前記第１のＣＡＤアプリケーションによって、前記第２の１つ以上の変更命令を実行することをさらに含み、前記第２の１つ以上の変更命令は、前記第１の１つ以上の変更命令によって修正されるチャプタとは無関係の前記ＣＡＤモデルのチャプタを修正する、請求項７に記載の方法。
【請求項９】
請求項１〜８に記載のプロセスを実行するようにプログラムされたシステム。
【請求項１０】
コンピュータ支援設計（ＣＡＤ）モデルの同時設計を管理するためのシステムであって、前記システムは、プロセッサを備えているコンピュータデバイスを備え、前記プロセッサは、
ユーザからの第１の要求に応答して、共有ＣＡＤモデルに対する第１の修正を行うための第１のＣＡＤアプリケーションと、
前記第１のＣＡＤアプリケーションが前記第１の修正を行うことに応答して、前記第１の修正を前記共有ＣＡＤモデルに表示するための第２の同時実行ＣＡＤアプリケーションと
を実行し、
前記第２の同時実行ＣＡＤアプリケーションは、前記ユーザからの後続の要求なしで、前記共有ＣＡＤモデルに対する前記第１の修正を表示するように構成されている、システム。
【請求項１１】
前記第２の同時実行ＣＡＤアプリケーションは、前記ユーザが前記第１の修正を保存することを要求することなく、前記共有ＣＡＤモデルに対する前記第１の修正を表示するように構成されている、請求項１０に記載のシステム。
【請求項１２】
前記第２の同時実行ＣＡＤアプリケーションは、前記ユーザからの第２の要求に応答して、前記第１のＣＡＤアプリケーションによって行われる、前記共有ＣＡＤモデルに対する前記第１の修正を取り消すように構成されている、請求項１０に記載のシステム。
【請求項１３】
前記第２の同時実行ＣＡＤアプリケーションは、前記ユーザからの第２の要求に応答して、前記第１のＣＡＤアプリケーションによって行われる、前記共有ＣＡＤモデルに対する前記第１の修正を保存するように構成されている、請求項１０に記載のシステム。
【手続補正２】
【補正対象書類名】明細書
【補正対象項目名】００４５
【補正方法】変更
【補正の内容】
【００４５】
本開示の種々の実施形態の詳細は、添付図面および以下の説明で記載される。
本願明細書は、例えば、以下の項目も提供する。
（項目１）
オブジェクトライフサイクルにおける複数の状態のうちの１つにおいて、コンピュータ支援設計（ＣＡＤ）データモデルの複数の情報項目の同期化を管理する方法であって、前記情報項目は、少なくとも幾何学形状と、グラフィックスとを含み、前記方法は、
第１のコンピュータデバイスのプロセッサによって実行される第１のアプリケーションの第１のユーザによって、共有ＣＡＤデータモデルの第１の情報項目を第１の状態から第２の状態に更新することであって、前記第１の状態は、オブジェクトライフサイクルにおける第１の状態に対応する、ことと、
前記第１のユーザによって、前記第１の情報項目を前記第２の状態から第３の状態に更新することであって、前記第３の状態は、前記オブジェクトライフサイクルにおける第２の状態に対応する、ことと、
第２のコンピュータデバイスのプロセッサによって実行される第２のアプリケーションの第２のユーザによって、前記共有ＣＡＤデータモデルの第２の情報項目を、前記第１の状態に対応する第４の状態から、前記第３の状態に対応する第５の状態に更新することと
を含む、方法。
（項目２）
前記共有ＣＡＤデータモデルの第１の情報項目を第１の状態から第２の状態に更新することは、前記ユーザによって、前記第１のアプリケーションを使用して前記第１の情報項目を修正することを含む、項目１に記載の方法。
（項目３）
前記オブジェクトライフサイクルにおける前記第１の状態および前記オブジェクトライフサイクルにおける前記第２の状態の各々は、所定の状態に対応し、前記所定の状態は、設計、プロトタイピング、製造、または試験のうちの少なくとも1つを含む、項目１に
記載の方法。
（項目４）
前記第１のユーザから前記第２のユーザによって、前記第１の情報項目を前記第１の状態から前記第２の状態に更新することに応答して生成される第１の変更命令を受信することをさらに含み、前記第１の変更命令は、前記更新を表す命令を備え、前記変更命令は、前記共有ＣＡＤデータモデルの非整合状態に更新することを示すための第１の所定の値に設定されたフラグを含む、項目１に記載の方法。
（項目５）
前記第１の所定の値に設定された前記フラグを有する前記第１の変更命令を受信することに応答して、前記第２のユーザによって、前記第２の情報項目を更新しないことをさらに含む、項目４に記載の方法。
（項目６）
前記第１のユーザから前記第２のユーザによって、前記第１の情報項目を前記第２の状態から前記第３の状態に更新することに応答して生成される第２の変更命令を受信することをさらに含み、前記第２の変更命令は、前記更新を表す命令を備え、前記第２の変更命令は、前記共有ＣＡＤデータモデルの整合状態に更新することを示すための第２の所定の値に設定されたフラグを含む、項目１に記載の方法。
（項目７）
前記第２のユーザによって、前記第２の情報項目を更新することは、前記第２の所定の値に設定された前記フラグを有する前記第２の変更命令を受信することに応答して、前記第２の情報項目を更新することを含む、項目６に記載の方法。
（項目８）
オブジェクトライフサイクルにおける複数の状態のうちの１つにおいて、コンピュータ支援設計（ＣＡＤ）データモデルの複数の情報項目の同期化を管理するシステムであって、前記情報項目は、少なくとも幾何学形状と、グラフィックスとを含み、前記システムは、
第１のプロセッサを備えている第１のコンピュータデバイスであって、前記第１のプロセッサは、
第１のユーザによって、共有ＣＡＤデータモデルの第１の情報項目を、第１の状態から第２の状態に更新することであって、前記第１の状態は、オブジェクトライフサイクルにおける第１の状態に対応する、ことと、
前記第１のユーザによって、前記第１の情報項目を前記第２の状態から第３の状態に更新することであって、前記第３の状態は、前記オブジェクトライフサイクルにおける第２の状態に対応する、ことと
のために第１のアプリケーションを実行するように構成されている、第１のコンピュータデバイスと、
第２のプロセッサを備えている第２のコンピュータデバイスであって、前記第２のプロセッサは、第２のユーザによって、前記共有ＣＡＤモデルの第２の情報項目を、前記第１の状態に対応する第４の状態から、前記第３の状態に対応する第５の状態に更新するために第２のアプリケーションを実行するように構成されている、第２のコンピュータデバイスと
を備えている、システム。
（項目９）
前記第１のアプリケーションは、前記ユーザによって、前記第１のアプリケーションを使用して前記第１の情報項目を修正するために構成されている、項目８に記載のシステム。
（項目１０）
前記オブジェクトライフサイクルにおける前記第１の状態および前記オブジェクトライフサイクルにおける前記第２の状態の各々は、所定の状態に対応し、前記所定の状態は、設計、プロトタイピング、製造、または試験のうちの少なくとも1つを含む、項目８に
記載のシステム。
（項目１１）
前記第２のアプリケーションは、前記第１のアプリケーションから、前記第１の情報項目を前記第１の状態から前記第２の状態に更新することに応答して生成される第１の変更命令を受信するために構成され、前記第１の変更命令は、前記更新を表す命令を備え、前記第１の変更命令は、前記共有ＣＡＤデータモデルの非整合状態に更新することを示すための第１の所定の値に設定されたフラグを含む、項目８に記載のシステム。
（項目１２）
前記第２のアプリケーションは、前記第１の所定の値に設定された前記フラグを有する前記第１の変更命令を受信することに応答して、前記第２の情報項目を更新しないように構成されている、項目１１に記載のシステム。
（項目１３）
前記第２のアプリケーションは、前記第１のアプリケーションから、前記第１の情報項目を前記第２の状態から前記第３の状態に更新することに応答して生成される第２の変更命令を受信するために構成され、前記第２の変更命令は、前記更新を表す命令を備え、前記第２の変更命令は、前記共有ＣＡＤデータモデルの整合状態に更新することを示すための第２の所定の値に設定されたフラグを含む、項目８に記載のシステム。
（項目１４）
前記第２のアプリケーションは、前記第２の所定の値に設定された前記フラグを有する前記第２の変更命令を受信することに応答して、前記第２の情報項目を更新するために構成されている、項目１３に記載のシステム。
（項目１５）
ユーザによって、コンピュータ支援設計（ＣＡＤ）オブジェクトまたはモデルの複数の設計ステップを管理する方法であって、
第１のコンピュータデバイスのプロセッサによって実行されるＣＡＤアプリケーションのユーザによって、ＣＡＤモデルの複数の相関ＣＡＤオブジェクトのうちの第１のＣＡＤオブジェクトを修正することと、
前記ＣＡＤアプリケーションによって、前記修正に応答して、前記修正前の前記ＣＡＤモデルの前記複数の相関ＣＡＤオブジェクトの第１の状態、および、前記第１のＣＡＤオブジェクトに対する前記修正を表す第１の変更命令を記憶することと
を含む、方法。
（項目１６）
前記ＣＡＤアプリケーションによって、前記第１のＣＡＤオブジェクトに対する前記修正に応答して、前記複数の相関ＣＡＤオブジェクトのうちの第２のＣＡＤオブジェクトのデータを再生することをさらに含み、前記第２のＣＡＤオブジェクトは、前記第１のＣＡＤオブジェクトに従属している、項目１５に記載の方法。
（項目１７）
前記第１の変更命令は、前記ＣＡＤアプリケーションによって、前記記憶された第１の状態における前記第１のＣＡＤオブジェクトに対する前記ユーザの修正を行うための命令を備えている、項目１５に記載の方法。
（項目１８）
前記ユーザによって、前記ＣＡＤモデルの前記複数の相関ＣＡＤオブジェクトのうちの第２のＣＡＤオブジェクトを修正することと、
前記ＣＡＤアプリケーションによって、前記第２のＣＡＤオブジェクトに対する前記修正に応答して、前記第２のＣＡＤオブジェクトに対する前記修正を表す第２の変更命令を記憶することと
をさらに含む、項目１５に記載の方法。
（項目１９）
前記第２の変更命令は、前記ＣＡＤアプリケーションによって、前記第１のＣＡＤオブジェクトの前記修正後の前記ＣＡＤモデルの状態から前記第２のＣＡＤオブジェクトに対する前記ユーザの修正を行うための命令を備えている、項目１８に記載の方法。
（項目２０）
前記ＣＡＤアプリケーションによって、前記第２のＣＡＤオブジェクトに対する前記修正に応答して、前記第２のＣＡＤオブジェクトに従属している、前記複数の相関ＣＡＤオブジェクトのうちの第３のＣＡＤオブジェクトのデータを再生することをさらに含む、項目１８に記載の方法。
（項目２１）
前記ユーザによって、前記ＣＡＤモデルを、前記第１のＣＡＤオブジェクトの前記修正後、かつ、前記第２のＣＡＤオブジェクトの前記修正前の前記ＣＡＤモデルの状態に戻すように要求することと、
前記ＣＡＤアプリケーションによって、前記ＣＡＤモデルの前記複数の相関ＣＡＤオブジェクトの前記記憶された第１の状態に対して前記第１の変更命令を実行することと
をさらに含む、項目１８に記載の方法。
（項目２２）
前記ＣＡＤアプリケーションによって、前記第１のＣＡＤオブジェクトの前記修正に応答して、前記第１のＣＡＤオブジェクトに従属している、前記複数の相関ＣＡＤオブジェクトのうちの第２のＣＡＤオブジェクトのデータを再生することをさらに含む、項目２１に記載の方法。
（項目２３）
前記ユーザによって、前記ＣＡＤモデルに対する少なくとも１つの修正を仕上げるように要求することと、
前記ＣＡＤアプリケーションによって、対応する少なくとも１つの変更命令を少なくとも１つの追加のＣＡＤアプリケーションに伝送することと、前記少なくとも１つの追加のＣＡＤアプリケーションは、前記第１のコンピュータデバイスの前記プロセッサまたは第２のコンピュータデバイスのプロセッサのうちの１つによって実行される、ことと
をさらに含む、項目１５に記載の方法。
（項目２４）
ユーザによって、コンピュータ支援設計（ＣＡＤ）オブジェクトまたはモデルの複数の設計ステップを管理するためのシステムであって、
ＣＡＤアプリケーションを実行するように構成される第１のプロセッサを備えている第１のコンピュータデバイスを備え、前記ＣＡＤアプリケーションは、
前記第１のコンピュータデバイスのユーザからの要求に応答して、ＣＡＤモデルの複数の相関ＣＡＤオブジェクトのうちの第１のＣＡＤオブジェクトを修正することと、
前記修正に応答して、前記修正前の前記ＣＡＤモデルの前記複数の相関ＣＡＤオブジェクトの第１の状態、および、前記第１のＣＡＤオブジェクトに対する前記修正を表す第１の変更命令を記憶することと
を行うように構成されている、システム。
（項目２５）
前記ＣＡＤアプリケーションは、前記第１のＣＡＤオブジェクトに対する前記修正に応答して、前記複数の相関ＣＡＤオブジェクトのうちの第２のＣＡＤオブジェクトのデータを再生するようにさらに構成され、前記第２のＣＡＤオブジェクトは、前記第１のＣＡＤオブジェクトに従属している、項目２４に記載のシステム。
（項目２６）
前記第１の変更命令は、前記ＣＡＤアプリケーションによって、前記記憶された第１の状態における前記第１のＣＡＤオブジェクトに対する前記ユーザの修正を行うための命令を備えている、項目２４に記載のシステム。
（項目２７）
前記ＣＡＤアプリケーションは、前記ユーザによる要求に応答して、前記ＣＡＤモデルの前記複数の相関ＣＡＤオブジェクトのうちの第２のＣＡＤオブジェクトを修正することと、
前記第２のＣＡＤオブジェクトに対する前記修正に応答して、前記第２のＣＡＤオブジェクトに対する前記修正を表す第２の変更命令を記憶することと
を行うようにさらに構成されている、項目２４に記載のシステム。
（項目２８）
前記第２の変更命令は、前記ＣＡＤアプリケーションによって、前記第１のＣＡＤオブジェクトの前記修正後の前記ＣＡＤモデルの状態から前記第２のＣＡＤオブジェクトに対する前記ユーザの修正を行うための命令を備えている、項目２７に記載のシステム。
（項目２９）
前記ＣＡＤアプリケーションは、前記第２のＣＡＤオブジェクトの前記修正に応答して、前記第２のＣＡＤオブジェクトに従属している、前記複数の相関ＣＡＤオブジェクトのうちの第３のＣＡＤオブジェクトのデータを再生するようにさらに構成されている、項目２７に記載のシステム。
（項目３０）
前記ＣＡＤアプリケーションは、前記ＣＡＤモデルを前記第１のＣＡＤオブジェクトの前記修正後、かつ、前記第２のＣＡＤオブジェクトの前記修正前の前記ＣＡＤモデルの状態に戻すための前記ユーザによる要求に応答して、前記ＣＡＤモデルの前記複数の相関ＣＡＤオブジェクトの前記記憶された第１の状態に対して前記第１の変更命令を実行するようにさらに構成されている、項目２７に記載のシステム。
（項目３１）
前記ＣＡＤアプリケーションは、前記第１のＣＡＤオブジェクトの前記修正に応答して、前記第１のＣＡＤオブジェクトに従属している、前記複数の相関ＣＡＤオブジェクトのうちの第２のＣＡＤオブジェクトのデータを再生するようにさらに構成されている、項目３０に記載のシステム。
（項目３２）
前記ＣＡＤアプリケーションは、前記ＣＡＤモデルに対する少なくとも１つの修正を仕上げるための前記ユーザによる要求に応答して、対応する少なくとも１つの変更命令を少なくとも１つの追加のＣＡＤアプリケーションに伝送するようにさらに構成され、前記少なくとも１つの追加のＣＡＤアプリケーションは、前記第１のコンピュータデバイスの前記プロセッサまたは第２のコンピュータデバイスのプロセッサのうちの１つによって実行される、項目２４に記載のシステム。
（項目３３）
対応する複数のコンピュータデバイス上の複数のユーザによるコンピュータ支援設計（ＣＡＤ）オブジェクトまたはモデルの同時設計を管理する方法であって、
第１のコンピュータデバイスのプロセッサ上で実行する第１のＣＡＤアプリケーションの第１のユーザによって、共有ＣＡＤオブジェクトの第１の部分を修正することと、
第２のコンピュータデバイスのプロセッサ上で実行する第２のＣＡＤアプリケーションの第２のユーザによって、前記共有ＣＡＤオブジェクトの第２の部分を修正することと、
前記第１のコンピュータデバイスから前記第２のコンピュータデバイスによって、前記共有ＣＡＤオブジェクトの前記第１の部分に対する前記修正を表す変更命令を受信することと
を含む、方法。
（項目３４）
前記第１の部分に対する前記修正が前記第２の部分に影響を及ぼさないという前記第２のＣＡＤアプリケーションによる決定に応答して、前記第２のコンピュータデバイスによって、前記第２のユーザに表示された前記共有ＣＡＤオブジェクトを修正することなく前記変更命令を記憶することをさらに含む、項目３３に記載の方法。
（項目３５）
前記共有ＣＡＤオブジェクトは、複数の相関モデルを備えている、項目３３に記載の方法。
（項目３６）
前記共有ＣＡＤオブジェクトの前記第１の部分を修正することは、前記共有ＣＡＤオブジェクトの第１の組の１つ以上のモデルを修正することを含む、項目３３に記載の方法。
（項目３７）
前記共有オブジェクトの前記第２の部分を修正することは、前記共有オブジェクトの第２の組の１つ以上のモデルを修正することを含み、前記第２の組の１つ以上のモデルは、前記第１の組の１つ以上のモデルと一致していない、項目３６に記載の方法。
（項目３８）
前記変更命令を受信することは、前記第１のコンピュータデバイスおよび第２のコンピュータデバイスが前記変更命令を伝送するために同時にオンラインになる必要がないように、媒介物の役割を果たす第３のコンピュータデバイスを介して、前記第１のコンピュータデバイスから前記第２のコンピュータデバイスによって前記変更命令を受信することを含む、項目３３に記載の方法。
（項目３９）
前記第１のＣＡＤアプリケーションによって、前記共有ＣＡＤオブジェクトの前記第１の部分の前記第１のユーザによる前記修正に応答して、前記変更命令を媒介物の役割を果たす前記第３のコンピュータデバイスに伝送することと、
前記第３のコンピュータデバイスのプロセッサ上で実行する通知サービスから前記第２のコンピュータデバイスによって、新しい変更命令の通知を受信することであって、前記通知は、前記第１のコンピュータデバイスから前記伝送された変更命令を受信することに応答して伝送される、ことと、
前記通知を受信することに応答して、前記第３のコンピュータデバイスから前記第２のＣＡＤアプリケーションによって、前記変更命令を要求することと
をさらに含む、項目３８に記載の方法。
（項目４０）
前記第２のＣＡＤアプリケーションによって、前記第２のユーザによる要求に応答して、前記共有ＣＡＤオブジェクトの前記第１の部分を修正するために前記変更命令を実行することをさらに含む、項目３３に記載の方法。
（項目４１）
前記第２のＣＡＤアプリケーションによって、前記変更命令において表される前記共有ＣＡＤオブジェクトの前記第１の部分に対する前記修正を、前記共有ＣＡＤオブジェクトの前記第２の部分に対する前記修正と組み合わせることをさらに含む、項目４０に記載の方法。
（項目４２）
前記第２のユーザによって、前記変更命令における第１の１つ以上の命令を無効にすることをさらに含み、前記共有ＣＡＤオブジェクトの前記第１の部分を修正するために前記変更命令を実行することは、前記変更命令における第２の１つ以上の無効にされていない命令を実行することを含む、項目４０に記載の方法。
（項目４３）
対応する複数のコンピュータデバイス上の複数のユーザによるコンピュータ支援設計（ＣＡＤ）オブジェクトまたはモデルの同時設計を管理するためのシステムであって、
第１のＣＡＤアプリケーションを実行するプロセッサを備えている第１のコンピュータデバイスであって、前記第１のＣＡＤアプリケーションは、第１のユーザによって、共有ＣＡＤオブジェクトの第１の部分を修正するために構成されている、第１のコンピュータデバイスと、
第２のＣＡＤアプリケーションを実行するプロセッサを備えている第２のコンピュータデバイスであって、前記第２のＣＡＤアプリケーションは、第２のユーザによって、前記共有ＣＡＤオブジェクトの第２の部分を修正することと、前記第１のコンピュータデバイスから、前記共有ＣＡＤオブジェクトの前記第１の部分に対する前記修正を表す変更命令を受信することとを行うために構成されている、第２のコンピュータデバイスと
を備えている、システム。
（項目４４）
前記第２のＣＡＤアプリケーションは、前記第１の部分に対する前記修正が前記第２の部分に影響を及ぼさないという前記第２のＣＡＤアプリケーションによる決定に応答して、前記第２のユーザに表示された前記共有ＣＡＤオブジェクトを修正することなく前記変更命令を記憶するためにさらに構成されている、項目４３に記載のシステム。
（項目４５）
前記共有ＣＡＤオブジェクトは、複数の相関モデルを備えている、項目４３に記載のシステム。
（項目４６）
前記共有ＣＡＤオブジェクトの前記第１の部分を修正することは、前記共有ＣＡＤオブジェクトの第１の組の１つ以上のモデルを修正することを含む、項目４３に記載のシステム。
（項目４７）
前記共有オブジェクトの前記第２の部分を修正することは、前記共有オブジェクトの第２の組の１つ以上のモデルを修正することを含み、前記第２の組の１つ以上のモデルは、前記第１の組の１つ以上のモデルと一致していない、項目４６に記載のシステム。
（項目４８）
前記第１のコンピュータデバイスと前記第２のコンピュータデバイスとの間の媒介物の役割を果たす第３のコンピュータデバイスをさらに備え、前記第３のコンピュータデバイスは、前記第１のコンピュータデバイスおよび第２のコンピュータデバイスが前記変更命令を伝送するために同時にオンラインになる必要がないように、前記第１のコンピュータデバイスから前記変更命令を受信し、前記第２のコンピュータデバイスに前記変更命令を伝送する、項目４３に記載のシステム。
（項目４９）
前記第１のＣＡＤアプリケーションは、前記共有ＣＡＤオブジェクトの前記第１の部分の前記第１のユーザによる前記修正に応答して、前記変更命令を、前記媒介物の役割を果たす前記第３のコンピュータデバイスに伝送するためにさらに構成され、
前記第３のコンピュータデバイスは、通知サービスを実行するプロセッサをさらに備え、
前記第２のＣＡＤアプリケーションは、
前記通知サービスから、新しい変更命令の通知を受信することであって、前記通知は、前記第１のコンピュータデバイスから前記伝送された変更命令を受信することに応答して伝送される、ことと、
前記通知を受信することに応答して、前記第３のコンピュータデバイスから、前記変更命令を要求することと
を行うために構成されている、項目４８に記載のシステム。
（項目５０）
前記第２のＣＡＤアプリケーションは、前記第２のユーザによる要求に応答して、前記共有ＣＡＤオブジェクトの前記第１の部分を修正するための前記変更命令を実行するためにさらに構成されている、項目４３に記載のシステム。
（項目５１）
前記第２のＣＡＤアプリケーションは、前記変更命令において表される前記共有ＣＡＤオブジェクトの前記第１の部分に対する前記修正を、前記共有ＣＡＤオブジェクトの前記第２の部分に対する前記修正と組み合わせるためにさらに構成されている、項目５０に記載のシステム。
（項目５２）
前記第２のＣＡＤアプリケーションは、前記第２のユーザによる要求に応答して、前記変更命令における第１の１つ以上の命令のためにさらに構成され、前記共有ＣＡＤオブジェクトの前記第１の部分を修正するために前記変更命令を実行することは、前記変更命令における第２の１つ以上の無効にされていない命令を実行することを含む、項目５０に記載のシステム。
（項目５３）
コンピュータ支援設計（ＣＡＤ）オブジェクトまたはモデルの同時設計を管理する方法であって、
コンピュータデバイスのプロセッサによって実行される第１のＣＡＤアプリケーションによって、ＣＡＤモデルの開始状態を記憶することと、
前記第１のＣＡＤアプリケーションのユーザによって、前記ＣＡＤモデルを修正することと、
前記第１のＣＡＤアプリケーションによって、前記修正に応答して、前記ＣＡＤモデルに対する前記ユーザの修正を表す第１の１つ以上の変更命令を作成することと、
前記コンピュータデバイスの前記プロセッサによって実行される第２のＣＡＤアプリケーションによって、前記ＣＡＤモデルの前記記憶された開始状態および前記第１の１つ以上の変更命令をロードすることと、
前記第２のＣＡＤアプリケーションによって、前記ＣＡＤモデルに対する前記ユーザの修正を再現するために、前記第１の１つ以上の変更命令を実行することと
を含む、方法。
（項目５４）
前記ＣＡＤモデルの前記開始状態を記憶することは、前記第１のＣＡＤアプリケーションによって前記ＣＡＤモデルをロードすることに応答して、前記ＣＡＤモデルの前記開始状態を記憶することを含む、項目５３に記載の方法。
（項目５５）
前記ＣＡＤモデルを修正することは、前記ユーザによって、前記ＣＡＤモデルの第１の１つ以上のオブジェクトを修正することと、前記第１のＣＡＤアプリケーションによって、前記第１の１つ以上のオブジェクトに従属している、前記ＣＡＤモデルの第２の１つ以上のオブジェクトを再生することとを含む、項目５３に記載の方法。
（項目５６）
前記第１の１つ以上の変更命令を作成することは、１つ以上の変更命令の実行が、ＣＡＤアプリケーションに、前記第１の１つ以上のオブジェクトに従属している前記第２の１つ以上のオブジェクトを再生させるように、前記第１の１つ以上のオブジェクトに対する前記ユーザの修正を表す第１の１つ以上の変更命令を作成することを含む、項目５５に記載の方法。
（項目５７）
前記第２のＣＡＤアプリケーションによって、前記記憶された開始状態および前記第１の１つ以上の変更命令をロードすることは、前記ユーザが前記第２のＣＡＤアプリケーションをアクティブにすることに応答して、前記記憶された開始状態および前記第１の１つ以上の変更命令をロードすることを含む、項目５３に記載の方法。
（項目５８）
前記第１の１つ以上の変更命令を実行することは、前記ユーザが前記第２のＣＡＤアプリケーションをアクティブにすることに応答して、前記第１の１つ以上の変更命令を実行することを含む、項目５７に記載の方法。
（項目５９）
前記第２のＣＡＤアプリケーションを介して、前記ユーザによって、前記ＣＡＤモデルを修正することと、
前記第２のＣＡＤアプリケーションによって、前記修正に応答して、前記ＣＡＤモデルに対する前記ユーザの修正を表す第２の１つ以上の変更命令を作成することと、
前記第１のＣＡＤアプリケーションによって、前記第２の１つ以上の変更命令をロードすることと、
前記第１のＣＡＤアプリケーションによって、前記ＣＡＤモデルに対する前記ユーザの修正を再現するために、前記第２の１つ以上の変更命令を実行することと
をさらに含む、項目５３に記載の方法。
（項目６０）
前記第２の１つ以上の変更命令は、前記第１の１つ以上の変更命令の実行後の前記第２のＣＡＤアプリケーションにおける前記ＣＡＤモデルに対する前記ユーザの修正を表す、項目５９に記載の方法。
（項目６１）
前記第１のＣＡＤアプリケーションを介して、前記ユーザによって、前記第１の１つ以上の変更命令を取り消すように要求することと、
前記第１のＣＡＤアプリケーションによって、前記ＣＡＤモデルの前記開始状態をロードすることと
をさらに含む、項目５９に記載の方法。
（項目６２）
前記第１のＣＡＤアプリケーションによって、前記第２の１つ以上の変更命令を実行することをさらに含み、前記第２の１つ以上の変更命令は、前記第１の１つ以上の変更命令によって修正されるチャプタとは無関係の前記ＣＡＤモデルのチャプタを修正する、項目６１に記載の方法。
（項目６３）
コンピュータ支援設計（ＣＡＤ）オブジェクトまたはモデルの同時設計を管理するためのシステムであって、前記システムは、プロセッサを備えているコンピュータデバイスを備え、前記プロセッサは、
ＣＡＤモデルの開始状態を記憶することと、前記第１のＣＡＤアプリケーションのユーザによる要求に応答して、前記ＣＡＤモデルを修正することと、前記修正に応答して、前記ＣＡＤモデルに対する前記ユーザの修正を表す第１の１つ以上の変更命令を作成することとを行うように構成されている、第１のＣＡＤアプリケーションと、
前記ＣＡＤモデルの前記記憶された開始状態および前記第１の１つ以上の変更命令をロードすることと、前記ＣＡＤモデルに対する前記ユーザの修正を再現するために、前記第１の１つ以上の変更命令を実行することとを行うように構成されている、第２のＣＡＤアプリケーションと
を実行する、システム。
（項目６４）
前記第１のＣＡＤアプリケーションは、前記第１のＣＡＤアプリケーションによって前記ＣＡＤモデルをロードすることに応答して、前記ＣＡＤモデルの前記開始状態を記憶するように構成されている、項目６３に記載のシステム。
（項目６５）
前記第１のＣＡＤアプリケーションは、前記ユーザによる要求に応答して、前記ＣＡＤモデルの第１の１つ以上のオブジェクトを修正することと、前記第１の１つ以上のオブジェクトに従属している、前記ＣＡＤモデルの第２の１つ以上のオブジェクトを再生することとを行うように構成されている、項目６３に記載のシステム。
（項目６６）
前記第１のＣＡＤアプリケーションは、１つ以上の変更命令の実行が、ＣＡＤアプリケーションに、前記第１の１つ以上のオブジェクトに従属している前記第２の１つ以上のオブジェクトを再生させるように、前記第１の１つ以上のオブジェクトに対する前記ユーザの修正を表す第１の１つ以上の変更命令を作成するように構成されている、項目６５に記載のシステム。
（項目６７）
前記第２のＣＡＤアプリケーションは、前記ユーザが前記第２のＣＡＤアプリケーションをアクティブにすることに応答して、前記記憶された開始状態および前記第１の１つ以上の変更命令をロードするように構成されている、項目６３に記載のシステム。
（項目６８）
前記第２のＣＡＤアプリケーションは、前記ユーザが前記第２のＣＡＤアプリケーションをアクティブにすることに応答して、前記第１の１つ以上の変更命令を実行するように構成されている、項目６７に記載のシステム。
（項目６９）
前記第２のＣＡＤアプリケーションは、前記ユーザからの要求に応答して、前記ＣＡＤモデルを修正することと、前記修正に応答して、前記ＣＡＤモデルに対する前記ユーザの修正を表す第２の１つ以上の変更命令を作成することとを行うように構成され、
前記第１のＣＡＤアプリケーションは、前記第２の１つ以上の変更命令をロードすることと、前記ＣＡＤモデルに対する前記ユーザの修正を再現するために、前記第２の１つ以上の変更命令を実行することとを行うように構成されている、項目６３に記載のシステム。
（項目７０）
前記第２の１つ以上の変更命令は、前記第１の１つ以上の変更命令の実行後の前記第２のＣＡＤアプリケーションにおける前記ＣＡＤモデルに対する前記ユーザの修正を表す、項目６９に記載のシステム。
（項目７１）
前記第１の１つ以上の変更命令を取り消すための前記ユーザによる要求に応答して、前記第１のＣＡＤアプリケーションは、前記ＣＡＤモデルの前記開始状態をロードするように構成されている、項目６９に記載のシステム。
（項目７２）
前記第１のＣＡＤアプリケーションは、前記第２の１つ以上の変更命令を実行するように構成され、前記第２の１つ以上の変更命令は、前記第１の１つ以上の変更命令によって修正されるチャプタとは無関係の前記ＣＡＤモデルのチャプタを修正する、項目７１に記載のシステム。
（項目７３）
コンピュータ支援設計（ＣＡＤ）モデルの同時設計を管理するためのシステムであって、前記システムは、プロセッサを備えているコンピュータデバイスを備え、前記プロセッサは、
ユーザからの第１の要求に応答して、共有ＣＡＤモデルに対する第１の修正を行うための第１のＣＡＤアプリケーションと、
前記第１のＣＡＤアプリケーションが前記第１の修正を行うことに応答して、前記第１の修正を前記共有ＣＡＤモデルに表示するための第２の同時実行ＣＡＤアプリケーションと
を実行する、システム。
（項目７４）
前記第２の同時実行ＣＡＤアプリケーションは、前記ユーザからの後続の要求なしで、前記共有ＣＡＤモデルに対する前記第１の修正を表示するように構成されている、項目７３に記載のシステム。
（項目７５）
前記第２の同時実行ＣＡＤアプリケーションは、前記ユーザが前記第１の修正を保存することを要求することなく、前記共有ＣＡＤモデルに対する前記第１の修正を表示するように構成されている、項目７３に記載のシステム。
（項目７６）
前記第２の同時実行ＣＡＤアプリケーションは、前記ユーザからの第２の要求に応答して、前記第１のＣＡＤアプリケーションによって行われる、前記共有ＣＡＤモデルに対する前記第１の修正を取り消すように構成されている、項目７３に記載のシステム。
（項目７７）
前記第２の同時実行ＣＡＤアプリケーションは、前記ユーザからの第２の要求に応答して、前記第１のＣＡＤアプリケーションによって行われる、前記共有ＣＡＤモデルに対する前記第１の修正を保存するように構成されている、項目７３に記載のシステム。